(57)【要約】【課題】投影画像の明暗制御の適切化を図る。【解決手段】与えられた画像信号に応じて光変調パネル部２が光を変調し、その変調後の光の透過光量をアイリス絞り部３が絞り径の可変によって調整する投射型表示装置において、前記画像信号における輝度信号分布をヒストグラム化するヒストグラム作成部２１と、作成したヒストグラムを解析して高輝度側基準値と低輝度側基準値との両方を特定するヒストグラム解析部２２と、二次元マトリクステーブル２４を保持するテーブル保持部１２と、前記二次元マトリクステーブル２４を用いて前記高輝度側基準値および前記低輝度側基準値から一つの基準値を導き出す基準値導出部２３と、前記一つの基準値に基づき前記アイリス絞り部３における絞り径を決定するアイリス制御部７と、を備える。【選択図】図１
2010039329.tif 000002
【特許請求の範囲】
【請求項１】
与えられた画像信号に応じて光源からの光を変調する光変調パネル部と、
前記光変調パネル部で変調された後の光の透過光量を絞り径の可変によって調整するアイリス絞り部と、
前記画像信号における輝度信号分布をヒストグラム化するヒストグラム作成部と、
前記ヒストグラム作成部が作成したヒストグラムを解析して当該ヒストグラムにおける高輝度側基準値と低輝度側基準値とを特定するヒストグラム解析部と、
前記ヒストグラム解析部が特定した高輝度側基準値および低輝度側基準値の両方から一つの基準値を導き出す基準値導出部と、
前記基準値導出部が特定した一つの基準値に基づき前記画像信号に応じて前記光変調パネル部が変調した光を前記アイリス絞り部が透過させる際の当該アイリス絞り部における絞り径を決定するアイリス制御部と
を備える投射型表示装置。
【請求項２】
前記高輝度側基準値と前記低輝度側基準値との両方から一つの基準値を導き出すための二次元マトリクステーブルを保持するテーブル保持部を備え、
前記基準値導出部は、前記テーブル保持部が保持する二次元マトリクステーブルを用いて前記一つの基準値を導き出す
請求項１記載の投射型表示装置。
【請求項３】
前記テーブル保持部が保持する二次元マトリクステーブルは、前記一つの基準値についての段階数が、前記ヒストグラム解析部で特定し得る前記高輝度側基準値および前記低輝度側基準値についての各段階数よりも、多段階に設定されている
請求項２記載の投射型表示装置。
【請求項４】
与えられた画像信号に応じて光源からの光を変調する光変調ステップと、
前記画像信号における輝度信号分布をヒストグラム化するヒストグラム作成ステップと、
前記ヒストグラム作成ステップで作成したヒストグラムを解析して当該ヒストグラムにおける高輝度側基準値と低輝度側基準値とを特定するヒストグラム解析ステップと、
前記ヒストグラム解析ステップで特定した高輝度側基準値および低輝度側基準値の両方から一つの基準値を導き出す基準値導出ステップと、
前記画像信号に応じて前記光変調ステップで変調した光の透過光量を絞り径の可変によって調整するとともに、当該絞り径を前記基準値導出ステップで導き出した一つの基準値に基づいて決定するアイリス絞り制御ステップと
を備える画像表示制御方法。
【発明の詳細な説明】
【技術分野】
【０００１】
本発明は、投影画像を表示する投射型表示装置および投影画像を表示する際に用いる画像表示制御方法に関する。
【背景技術】
【０００２】
近年、投影画像を表示する投射型表示装置として、液晶プロジェクタ装置が広く知られている。液晶プロジェクタ装置は、光源から出射された光を、液晶パネルを用いて変調し画像信号に応じた光学像を形成するとともに、その光学像を投射レンズで拡大投影してスクリーン上に表示するように構成されている。また、液晶パネルと投射レンズとの間には、アイリス（虹彩）絞りのための機構部（以下、単に「アイリス絞り部」という。）が配設されている。そして、アイリス絞り部における絞り径の可変によって液晶パネルで変調された後の光の透過光量を調整し、これによりスクリーン上における投影画像の明暗を変化させ得るようになっている。
【０００３】
ところで、投影画像の明暗については、当該投影画像の基になる画像信号における輝度信号分布をヒストグラム化し、当該ヒストグラム化の結果を解析して、その制御を行うことが考えられる。具体的には、作成したヒストグラムにおける高輝度側または低輝度側のいずれか一方から頻度数を累積してカウントし、累積頻度数が定められた閾値以上になったときヒストグラムの区画位置を認識する。そして、その区画位置から一意に特定される値を用いて、アイリス絞り部における絞り径を決定する。つまり、ヒストグラムの高輝度側または低輝度側のいずれか一方からの探索結果を基に、投影画像の明暗に直接的に影響を及ぼすアイリス絞り部の絞り径を決定し、これにより投影画像の明暗を制御するのである（例えば、特許文献１参照。）。
【０００４】
【特許文献１】特開２００２−２６８１１６号公報
【発明の開示】
【発明が解決しようとする課題】
【０００５】
しかしながら、上述した従来技術による制御手法では、アイリス絞り部に不自然な動作をさせてしまうおそれがあり、必ずしも投影画像の明暗制御を適切に行えるとは限らない。
【０００６】
例えば、全体の色調は暗いが一部分のみに非常に明るい箇所が存在している画像を表示した後に、その明るい箇所が大きく増減するような画像を続けて表示する場合について考える。このような場合に、明るい箇所が大きく増減しても、画像全体としての色調が暗いままであれば、アイリス絞り部の絞り径は、大きく動かすべきではない。ところが、ヒストグラムの高輝度側からの探索結果を基にアイリス絞り部の絞り径を決定すると、明るい箇所が大きく増減していることから、当該増減に合わせてアイリス絞り部の絞り径を大きく動かすような決定をするという不都合が生じてしまう。つまり、画像全体としての色調が暗いままであるのに、投影画像の明暗を大きく変化させるという不自然な動作を、アイリス絞り部にさせてしまうことになる。
【０００７】
そこで、本発明は、表示すべき投影画像に応じてアイリス絞り部に自然な動作をさせることができ、これにより当該投影画像の明暗制御の適切化を図ることのできる投射型表示装置および画像表示制御方法を提供することを目的とする。
【課題を解決するための手段】
【０００８】
本発明は、上記目的を達成するための投射型表示装置で、与えられた画像信号に応じて光源からの光を変調する光変調パネル部と、
前記光変調パネル部で変調された後の光の透過光量を絞り径の可変によって調整するアイリス絞り部と、
前記画像信号における輝度信号分布をヒストグラム化するヒストグラム作成部と、
前記ヒストグラム作成部が作成したヒストグラムを解析して当該ヒストグラムにおける高輝度側基準値と低輝度側基準値とを特定するヒストグラム解析部と、
前記ヒストグラム解析部が特定した高輝度側基準値および低輝度側基準値の両方から一つの基準値を導き出す基準値導出部と、
前記基準値導出部が特定した一つの基準値に基づき前記画像信号に応じて前記光変調パネル部が変調した光を前記アイリス絞り部が透過させる際の当該アイリス絞り部における絞り径を決定するアイリス制御部とを備える。
【０００９】
上記構成の投射型表示装置では、ヒストグラム作成部がヒストグラムを作成すると、ヒストグラム解析部が当該ヒストグラムを解析して高輝度側基準値と低輝度側基準値とを特定する。ここで、高輝度側基準値とは、ヒストグラムにおける高輝度側からの頻度数累積および高輝度側閾値との比較によって得られる値をいう。一方、低輝度側基準値とは、ヒストグラムにおける低輝度側からの頻度数累積および低輝度側閾値との比較によって得られる値をいう。そして、高輝度側基準値と低輝度側基準値とを特定したら、これらの両方から、基準値導出部が一つの基準値を導き出す。さらには、基準値導出部が特定した一つの基準値に基づき、アイリス制御部がアイリス絞り部における絞り径を決定する。したがって、決定されたアイリス絞り部の絞り径には、高輝度側基準値と低輝度側基準値との両方、すなわちヒストグラムにおける高輝度側の輝度信号分布状況と低輝度側の輝度信号分布状況との両方が、それぞれ反映されることになる。つまり、高輝度側と低輝度側とのいずれか一方だけではなく、これら両方における輝度信号分布状況に応じて、アイリス絞り部の絞り径が決定されるのである。
【発明の効果】
【００１０】
本発明によれば、高輝度側と低輝度側の両方における輝度信号分布状況に応じて、アイリス絞り部の絞り径が決定されるので、表示すべき投影画像に応じてアイリス絞り部に自然な動作をさせることが可能になる。例えば、画像中の一部分のみに明るい箇所が存在し、その明るい箇所が大きく増減する場合であっても、画像全体としての色調が暗いままであれば、アイリス絞り部の絞り径を動かさないようにする、といった動作制御が可能になる。したがって、アイリス絞り部に対する絞り制御の自動化を実現しつつ、その場合であっても当該アイリス絞り部における不自然な動作を解消することができ、その結果として投影画像の明暗制御の適切化が図れる。
【発明を実施するための最良の形態】
【００１１】
以下、図面に基づき本発明に係る投射型表示装置および画像表示制御方法について説明する。
【００１２】
［投射型表示装置の説明］
先ず、本発明に係る投射型表示装置の概略構成を説明する。
図１は、本発明に係る投射型表示装置の概略構成例を示す機能ブロック図である。
図例のように、投射型表示装置は、光源部１と、液晶パネル部２と、アイリス絞り部３と、レンズ部４と、を備えている。そして、光源部１から出射された光を、液晶パネル部２を用いて変調し、その変調後の光の透過光量をアイリス絞り部３における絞り径の可変によって調整し、透過光量調整後の光学像をレンズ部４が拡大投影することで、スクリーン上への画像表示を行うように構成されている。なお、これらの各部１〜４は、いずれも公知技術を利用して実現されたものであればよいため、ここではその詳細についての説明（例えば、機構等についての具体的な説明。）を省略する。
【００１３】
また、投射型表示装置は、上述した各部１〜４によるスクリーン上への画像表示動作を行うために、光源制御部５と、パネル制御部６と、アイリス制御部７と、レンズ制御部８と、システム制御部９と、を備えている。
光源制御部５は、光源部１の光出射動作を制御する。
パネル制御部６は、液晶パネル部２の光変調動作を制御する。
アイリス制御部７は、アイリス絞り部３の絞り径可変動作を制御する。ただし、アイリス制御部７では、詳細を後述するように、画像信号処理部１１からの指示に従いつつ、アイリス絞り部３が光を透過させる際の当該アイリス絞り部３における絞り径を決定するようになっている。
レンズ制御部８は、レンズ部４の光学像投影動作を制御する。
システム制御部９は、投射型表示装置全体の動作制御を行う。
【００１４】
さらに、投射型表示装置では、画像信号入力部１０と、画像信号処理部１１と、メモリ部１２と、を備えている。
画像信号入力部１０は、スクリーン上に表示する画像の基になる画像信号を、外部から受け取る。すなわち、画像信号入力部１０には、画像信号の供給元となる外部装置（ただし不図示）が接続されるようになっている。
画像信号処理部１１は、画像信号入力部１０で受け取った画像信号に対して、当該画像信号に応じた画像表示を行うために必要な所定処理を行う。
メモリ部１２は、画像信号処理部１１が画像信号を処理するために必要となる情報（各種プログラムやパラメータデータ等）を、予め保持している。また、画像信号処理部１１が画像信号を処理する際のワークエリアとしても用いられる。
【００１５】
ところで、画像信号処理部１１では、画像信号に対する処理実行により、ヒストグラム作成部２１、ヒストグラム解析部２２および基準値導出部２３として機能するようになっている。
ヒストグラム作成部２１は、処理対象となった画像信号における輝度信号分布をヒストグラム化する。ヒストグラム化の手法は、公知技術を利用して行えばよく、特に限定されるものではない。
ヒストグラム解析部２２は、ヒストグラム作成部２１が作成したヒストグラムを解析して、当該ヒストグラムにおける高輝度側基準値と低輝度側基準値との両方を特定する。ここで、高輝度側基準値とは、ヒストグラムにおける高輝度側からの頻度数累積および高輝度側閾値との比較によって得られる値をいう。一方、低輝度側基準値とは、ヒストグラムにおける低輝度側からの頻度数累積および低輝度側閾値との比較によって得られる値をいう。なお、高輝度側閾値および低輝度側閾値は、いずれも、予め設定されてメモリ部１２内に保持されているものを用いればよい。
基準値導出部２３は、ヒストグラム解析部２２が特定した高輝度側基準値および低輝度側基準値から、一つの基準値を導き出す。そして、導き出した一つの基準値をアイリス制御部７に指示して、これにより当該アイリス制御部７にアイリス絞り部３の絞り径を決定させるようになっている。
【００１６】
また、画像信号処理部１１が基準値導出部２３として機能することに伴い、メモリ部１２には、高輝度側基準値と低輝度側基準値との両方から一つの基準値を導き出すための二次元マトリクステーブル２４が、予め設定されて保持されている。この二次元マトリクステーブル２４を用いて、基準値導出部２３は、一つの基準値を導き出すようになっている。
【００１７】
ここで、二次元マトリクステーブル２４について説明する。
図２は、二次元マトリクステーブルの一具体例を示す説明図である。
図例の二次元マトリクステーブル２４は、ヒストグラム作成部２１で作成するヒストグラムが３２階級である場合に、これに対応するように構成されている。すなわち、テーブル横軸方向には高輝度側基準値（Index White）に関して「０」〜「３１」までの３２段階が、またテーブル縦軸方向には低輝度側基準値（Index Black）に関して「０」〜「３１」までの３２段階が、それぞれ規定されている。そして、高輝度側基準値および低輝度側基準値について、それぞれ一つの段階が特定されると、そこから一つの基準値を導き出し得るように、当該基準値が二次元配列されたマトリクス形式で規定されている。
【００１８】
［画像表示制御方法の説明］
次に、以上のように構成された投射型表示装置における処理動作例、すなわち本発明に係る画像表示制御方法について説明する。
【００１９】
図３は、本発明に係る画像表示制御方法の手順の一例を示すフローチャートである。
【００２０】
上述した構成の投射型表示装置では、画像信号入力部１０が画像信号を受け取ると、その画像信号における輝度信号分布を、画像信号処理部１１のヒストグラム作成部２１がヒストグラム化する。さらに詳しくは、例えば１フレーム分といった所定単位量の画像信号について、ヒストグラム作成部２１が輝度信号（明るさ）の分布を認識して、例えば横軸方向が３２階級に分類され縦軸方向に明るさの分布度数が配されてなるヒストグラムを作成する（ステップ１０１、以下ステップを「Ｓ」と略す）。
【００２１】
そして、ヒストグラム作成部２１がヒストグラムを作成すると、その後は、ヒストグラム解析部２２が当該ヒストグラムについての解析を行う。
【００２２】
ここで、ヒストグラム解析部２２は、高輝度側基準値の特定を行う。具体的には、ヒストグラム作成部２１が作成したヒストグラムにおける明るさの分布度数を、当該ヒストグラムにおける高輝度側から順に累積加算していく。すなわち、ヒストグラムの最も明るい側の頻度数データから一つずつ順に加算を行う（Ｓ１０２）。そして、その加算結果を予め設定されている高輝度側閾値と比較し、当該加算結果である累積頻度数データが当該高輝度側閾値を超えたか否かを判断する（Ｓ１０３）。その結果、高輝度側閾値を超えていなければ、次の段階の各段階の頻度数データについての加算を行う（Ｓ１０２）。一方、累積頻度数データが高輝度側閾値を超えた場合には、このとき最後に加算したヒストグラムデータのＩＤ（すなわち、最後に加算した頻度数データが属する段階を特定するＩＤの値。）を、高輝度側基準値ｍとして特定する（Ｓ１０４）。
【００２３】
また、ヒストグラム解析部２２は、高輝度側基準値のみならず、低輝度側基準値の特定をも行う。具体的には、ヒストグラム作成部２１が作成したヒストグラムにおける明るさの分布度数を、当該ヒストグラムにおける低輝度側から順に累積加算していく。すなわち、ヒストグラムの最も暗い側の頻度数データから一つずつ順に加算を行う（Ｓ１０５）。そして、その加算結果を予め設定されている低輝度側閾値と比較し、当該加算結果である累積頻度数データが当該低輝度側閾値を超えたか否かを判断する（Ｓ１０６）。その結果、低輝度側閾値を超えていなければ、次の段階の各段階の頻度数データについての加算を行う（Ｓ１０５）。一方、累積頻度数データが低輝度側閾値を超えた場合には、このとき最後に加算したヒストグラムデータのＩＤ（すなわち、最後に加算した頻度数データが属する段階を特定するＩＤの値。）を、低輝度側基準値ｎとして特定する（Ｓ１０７）。
【００２４】
ヒストグラム解析部２２が高輝度側基準値ｍと低輝度側基準値ｎとの両方を特定すると、その後は、基準値導出部が、二次元マトリクステーブル２４を用いつつ、当該高輝度側基準値ｍおよび当該低輝度側基準値ｎから一つの基準値を導き出す。当該ヒストグラムについての解析を行う。そして、導き出した一つの基準値をアイリス制御部７に指示して、これにより当該アイリス制御部７にアイリス絞り部３の絞り径Ｘを決定させる（Ｓ１０８）。なお、一つの基準値と絞り径Ｘとは一意に対応しており、その対応関係は予め定められている。
このようにして決定されたアイリス絞り部３の絞り径Ｘは、高輝度側基準値ｍと低輝度側基準値ｎとの両方、すなわちヒストグラムにおける高輝度側の輝度信号分布状況と低輝度側の輝度信号分布状況との両方が、それぞれ反映されることになる。つまり、高輝度側と低輝度側とのいずれか一方だけではなく、これら両方における輝度信号分布状況に応じて、アイリス絞り部３の絞り径Ｘが決定されるのである。
【００２５】
絞り径Ｘを決定すると、アイリス制御部７は、その決定した絞り径Ｘとなるように、アイリス絞り部３の絞り径可変動作を制御する（Ｓ１０９）。これにより、アイリス絞り部３は、ヒストグラム作成の基になった所定単位量の画像信号に応じて液晶パネル部２が変調した光を、絞り径Ｘにより規定される透過光量で透過させることになる。
【００２６】
［制御具体例の説明］
次に、上述した一連の手順によるアイリス絞り部３の透過光量制御について、具体例を挙げて説明する。
【００２７】
図４は、本発明に係る画像表示制御方法によるアイリス制御の一具体例を示す説明図である。
【００２８】
ここでは、例えば、図４（a）に示す画像を表示した後に、図４（ｂ）に示す画像を表示する場合を例に挙げて考える。図４（a）に示す画像は、全体としては暗いが、その一部分に明るい箇所（図中における白色円形箇所）が存在している。これに対して、図４（ｂ）に示す画像は、図４（a）に示す画像に比べて明るい箇所の大きさが増えている（白色円形箇所の径が増大している）が、依然画像全体としては暗いままである。
【００２９】
図４（ａ）に示す画像について、輝度信号分布をヒストグラム化すると、図４（ｃ）に示すヒストグラムが得られる。このヒストグラムでは、横軸方向階級「０」〜「２」といった暗い側における信号分布度数が圧倒的に多いが、横軸方向階級「２８」〜「３１」といった明るい側にも信号が分布している。
このようなヒストグラムについて、高輝度側基準値を特定するためには、最も高輝度側にある階級「３１」から頻度数データ（すなわち、信号分布度数）を順に累積加算し、その加算結果を高輝度側閾値と比較する。その結果、例えば階級「２８」における頻度数データを加算した時点で加算結果が高輝度側閾値を超えたとすると、このとき最後に加算した頻度数データが属する段階ＩＤ、すなわち階級ＩＤ値である「２８」を、高輝度側基準値ｍとして特定する。
一方、低輝度側基準値については、最も低輝度側にある階級「０」から頻度数データを順に累積加算し、その加算結果を低輝度側閾値と比較する。その結果、例えば階級「１」における頻度数データを加算した時点で加算結果が低輝度側閾値を超えたとすると、このとき最後に加算した頻度数データが属する段階ＩＤ、すなわち階級ＩＤ値である「１」を、低輝度側基準値ｎとして特定する。
【００３０】
また、図４（ｂ）に示す画像について、輝度信号分布をヒストグラム化すると、図４（ｄ）に示すヒストグラムが得られる。このヒストグラムでは、図４（ｃ）のヒストグラムと同様に、横軸方向階級「０」〜「２」といった暗い側における信号分布度数が圧倒的に多い。ただし、図４（ｃ）のヒストグラムと比べると、横軸方向階級「２８」〜「３１」といった明るい側における信号の分布度数が増えている。
このようなヒストグラムについて、上述した図４（ｃ）のヒストグラムの場合と同様の手順で高輝度側基準値ｍおよび低輝度側基準値ｎを特定すると、高輝度側基準値ｍは「３１」、低輝度側基準値ｎは「２」という特定結果が得られる。
【００３１】
以上のことから、図４（a）に示す画像を表示した後に図４（ｂ）に示す画像を表示する場合、従来技術のように高輝度側または低輝度側のいずれか一方のみのヒストグラム解析結果を基にアイリス制御を行うのでは、以下に述べるような難点が生じてしまう。例えば、高輝度側については、階級ＩＤ値が「２８」から「３１」へと３段階も変化することになる。したがって、図４（ｂ）に示す画像が依然画像全体としては暗いままであるため、アイリス絞り径を変化させるべきでないにも拘らず、階級ＩＤ値の３段階変化に応じて、アイリス絞り径を変化させることになってしまう。
【００３２】
これに対して、本実施形態で説明した制御手順では、予め設定されている二次元マトリクステーブル２４を用いつつ、高輝度側基準値ｍおよび低輝度側基準値ｎの両方から一つの基準値を導き出す。具体的には、高輝度側基準値ｍが「３１」であり低輝度側基準値ｎが「２」であれば、二次元マトリクステーブル２４の「Index White」の段階を「３１」とし「Index Black」の段階を「２」として、これらから例えば「３３」という一つの基準値を導き出す。つまり、一つの基準値を特定するのにあたり、高輝度側基準値ｍおよび低輝度側基準値ｎの両方を反映させるようにする。
【００３３】
したがって、本実施形態で説明した制御手順によれば、例えば高輝度側の階級ＩＤ値が「２８」から「３１」へと３段階も変化しても、低輝度側については階級ＩＤ値が「１」から「２」へと１段階の変化に留まるので、アイリス絞り径を大きく動かさないようにする、という制御動作を実現することが可能となる。つまり、画像全体としての色調が暗いままであるのに、投影画像の明暗を大きく変化させるという不自然な動作を、アイリス絞り部３にさせてしまうのを回避し得るようになる。
もちろん、高輝度側と低輝度側との両方について、いずれの階級ＩＤ値も大きく変化したときには、アイリス絞り径を大きく動かすように、アイリス絞り部３に対する動作制御を行うことが考えられる。
【００３４】
以上に説明したように、本実施形態における投射型表示装置および当該投射型表示装置が実行する画像表示制御方法によれば、高輝度側と低輝度側の両方における輝度信号分布状況に応じて、アイリス絞り部３の絞り径が決定されるので、表示すべき投影画像に応じてアイリス絞り部３に自然な動作をさせることが可能になる。例えば、画像中の一部分のみに明るい箇所が存在し、その明るい箇所が大きく増減する場合であっても、画像全体としての色調が暗いままであれば、アイリス絞り部３の絞り径を動かさないようにする、といった動作制御が可能になる。したがって、アイリス絞り部３に対する絞り制御の自動化を実現しつつ、その場合であっても当該アイリス絞り部３における不自然な動作を解消することができ、その結果として投影画像の明暗制御の適切化が図れるようになる。
【００３５】
しかも、本実施形態における投射型表示装置および当該投射型表示装置が実行する画像表示制御方法では、上述した一連の制御動作を、二次元マトリクステーブル２４を用いて実現する。このことは、二次元マトリクステーブル２４における設定内容次第で、アイリス絞り部３に対する絞り制御をどのように行うかを決定し得ることを意味する。したがって、アイリス絞り部３における不自然な動作を解消しつつ、当該アイリス絞り部３に対する絞り制御の自由度を必要十分に確保することが実現可能になる。なお、二次元マトリクステーブル２４は、予め設定されている必要があるが、その設定内容については必ずしも固定的なものである必要はなく、例えば所定操作によって書き換え可能なものとすることも考えられる。
【００３６】
ところで、二次元マトリクステーブル２４では、高輝度側基準値ｍおよび低輝度側基準値ｎから一つの基準値を導き出し得るように、当該基準値が二次元配列されたマトリクス形式で規定されている。そのため、一つの基準値についての段階数は、ヒストグラム解析部２２で特定し得る高輝度側基準値ｍおよび低輝度側基準値ｎについての各段階数よりも、多段階に設定することが可能である。具体的には、例えば図２に示すように、高輝度側基準値ｍおよび低輝度側基準値ｎがそれぞれ「０」〜「３１」までの３２段階であるのに対して、これらから導き出す一つの基準値については、「０」〜「６３」までの６４段階とすることが考えられる。
このように、一つの基準値についての段階数を高輝度側基準値ｍおよび低輝度側基準値ｎよりも多段階とすると、当該多段階ではない場合に比べて、アイリス絞り部３に対する絞り制御の分解能が細かくなり、当該絞り制御を多彩な態様で行うことが可能となる。したがって、このことによっても、投影画像の明暗制御の適切化が図れる。
【００３７】
なお、本実施形態では、本発明の好適な実施具体例を説明したが、本発明はその内容に限定されるものではなく、その要旨を逸脱しない範囲で適宜変更することが可能である。
例えば、本実施形態で説明したヒストグラムの横軸方向階級数や、ヒストグラム解析部２２で特定し得る高輝度側基準値ｍおよび低輝度側基準値ｎの各段階数等は、一具体例に過ぎず、その内容に限定されないことは勿論である。
また、二次元マトリクステーブル２４における設定内容についても、全く同様である。すなわち、二次元マトリクステーブル２４は、高輝度側基準値ｍおよび低輝度側基準値ｎの両方から一つの基準値を導き出すものであればよく、その設定値の内容や段階数等が特に限定されることはない。
さらに、本実施形態では、投射型表示装置として液晶パネル部を用いて光変調を行うように構成された液晶プロジェクタ装置を例に挙げたが、デジタルミラーデバイス（ＤＭＤ）を用いた映像表示装置など他の投射型表示装置であっても、アイリス絞り部に対する絞り制御を要するものであれば、本発明を適用することが考えられる。
【図面の簡単な説明】
【００３８】
【図１】本発明に係る投射型表示装置の概略構成例を示す機能ブロック図である。
【図２】図１の投射型表示装置で用いる二次元マトリクステーブルの一具体例を示す説明図である。
【図３】本発明に係る画像表示制御方法の手順の一例を示すフローチャートである。
【図４】本発明に係る画像表示制御方法によるアイリス制御の一具体例を示す説明図である。
【符号の説明】
【００３９】
１…光源部、２…液晶パネル部、３…アイリス絞り部、４…レンズ部、５…光源制御部、６…パネル制御部、７…アイリス制御部、８…レンズ制御部、９…システム制御部、１０…画像信号入力部、１１…基準値導出部、１２…メモリ部、２１…ヒストグラム作成部、２２…ヒストグラム解析部、２３…基準値導出部、２４…二次元マトリクステーブル
【図１】
2010039329.tif 000003
【図２】
2010039329.tif 000004
【図３】
2010039329.tif 000005
【図４】
2010039329.tif 000006